(57)【要約】【課題】    柱固定金物の表面に発生した結露水が、吸水力の高い木口面から柱側に吸収されるのを防いで、木製柱の腐朽をより効果的に抑制することを目的とする。【解決手段】  基礎(15)、土台、梁その他の構造物へ木製の柱(20)端部を接合するための柱固定金物(１)において、前記柱(20)の木口面(24)とその木口面(24)を受ける柱固定金物(１)の木口受け面(24)との間に、柱固定金物(１)側から柱(20)側への水分の移動を遮断するための水遮断層(16)を介在させる。【選択図】  図１
2005068858.tif 000002
【特許請求の範囲】
【請求項１】
基礎、土台、梁その他の構造物へ木製の柱端部を接合するための柱固定金物において、前記柱の木口面とその木口面を受ける柱固定金物の木口受け面との間に、柱固定金物側から柱側への水分の移動を遮断するための水遮断層が介在していることを特徴とする柱と柱固定金物の取付け構造。
【請求項２】
前記柱固定金物は、前記木口受け面より突出して前記柱端部のスリットに差し込まれる差込プレートを備えており、柱の側面のスリット部分に露出する差込プレートの端部が気密性材によって覆われている請求項１記載の柱と柱固定金物の取付け構造。
【請求項３】
前記水遮断層は、柱の木口面と前記木口受け面とに挟み込まれる水遮断シートからなっている請求項１又は２記載の柱と柱固定金物の取付け構造。
【請求項４】
前記差込プレートは、前記水遮断シートに形成されたスリットを貫通して、前記柱端部のスリットに差し込まれている請求項３記載の柱と柱固定金物の取付け構造。
【請求項５】
前記水遮断層は、発泡ポリエチレン樹脂からなっている請求項１乃至４のいずれかに記載の柱と柱固定金物の取付け構造。
【請求項６】
前記気密性材は、接着剤若しくはシーリング材からなっている請求項２乃至５のいずれかに記載の柱と柱固定金物の取付け構造。
【発明の詳細な説明】
【技術分野】
【０００１】
この発明は、主として木造住宅において、木製の柱と、その柱を基礎、土台、梁その他の構造物に固定する柱固定金物との取付け構造に関し、特に、柱固定金物の表面に発生する結露対策に関する。
【背景技術】
【０００２】
従来より、図５に示すように、基礎(15)その他の構造物と木製の柱(20)端部の木口面(24)との間に柱固定金物(１)を介在させて、この柱固定金物(１)により基礎(15)その他の構造物と柱(20)とを接合する構造が知られている。しかし、建物の床下は、地盤の熱容量により年間を通して温度の変動が比較的少ないため、特に梅雨時から初夏にかけて高温高湿の外気が入ることで、比較的低温の基礎(15)や土間に結露が発生しやすくなっている。
【０００３】
それゆえ、上記の構造では、直接基礎(15)に接する柱固定金物(１)の表面にも結露が発生してしまい、柱固定金物(１)に接する柱(20)が、金物(１)側で発生する結露水を主に木口面(24)より吸収してしまう。また、温度の低い基礎(15)表面からの放射冷却現象により、柱(20)の表面、特にスリット(21)部分に露出する柱固定金物(１)の差込プレート(４)端部にも結露水が発生してしまう場合があり、その結露水が柱(20)の側面を伝って木口面(24)から柱(20)の内部に吸収されたり、柱(20)の側面より直接吸収されることがある。従って、このような床下環境にさらされる木製の柱(20)は、含水率が上昇しやすいため腐朽しやすくなっていた。
【０００４】
一方、特許文献１には、柱固定金物の表面に発生した結露水が柱側に吸収されるのを防止する構成が開示されている。この特許文献１に記載された柱固定金物は、柱に当接する垂直部と、柱の下端と接合する土台に当接する水平部とを備えたＬ字状のプレートからなり、柱と垂直部との間、及び、土台と水平部との間に、それぞれ防水性シートを介在させることで、金物の表面に発生する結露水が柱側に移動するのを防ぐようになっている。
【０００５】
【特許文献１】特開２００１−２０３８０号公報
【発明の開示】
【発明が解決しようとする課題】
【０００６】
しかし、特許文献１に開示された構成では、柱固定金物の表面、又は、柱若しくは土台の表面に発生した結露水が、柱若しくは土台の表面を伝って、木口面より柱側に吸収されてしまう恐れがあった。すなわち、特許文献１の構成では、特に吸水力の高い木口面に何ら処理がなされていないため、結露対策としては依然として不十分であった。
【０００７】
そこで、この発明は、上記の不具合を解消して、柱固定金物の表面に発生した結露水が、吸水力の高い木口面から柱側に吸収されるのを防いで、木製柱の腐朽をより効果的に抑制することを目的とする。
【課題を解決するための手段】
【０００８】
上記の課題を解決するため、この発明における柱と柱固定金物の取付け構造は、基礎、土台、梁その他の構造物へ木製の柱端部を接合するための柱固定金物において、前記柱の木口面とその木口面を受ける柱固定金物の木口受け面との間に、柱固定金物側から柱側への水分の移動を遮断するための水遮断層が介在していることを特徴とする。
【０００９】
また、前記柱固定金物は、前記木口受け面より突出して前記柱端部のスリットに差し込まれる差込プレートを備えており、柱の側面のスリット部分に露出する差込プレートの端部が気密性材によって覆われている。
【００１０】
さらに、前記水遮断層は、柱の木口面と前記木口受け面とに挟み込まれる水遮断シートからなっている。
【００１１】
またさらに、前記差込プレートは、前記水遮断シートに形成されたスリットを貫通して、前記柱端部のスリットに差し込まれている。
【００１２】
加えて、前記水遮断層は、発泡ポリエチレン樹脂からなっている。また、前記気密性材は、接着剤若しくはシーリング材からなっている。
【発明の効果】
【００１３】
この発明では、柱の木口面と柱固定金物の木口受け面との間に水遮断層を介在させることにより、柱固定金物の表面に発生した結露水が、柱側に移動するのを防ぐことができる。特に、吸水力の高い木口面からの吸収を防いでいるため、柱内部の含水率の上昇を極力抑えることができ、木製柱の腐朽を抑制することができる。
【００１４】
また、柱側面のスリット部分に露出する差込プレート端部を気密性材で覆うことにより、差込プレートと外気との接触を遮断しているため、差込プレートの表面での結露の発生を防止することができる。すなわち、柱の側面のスリット部分において結露水の発生そのものを抑制することにより、結露水が柱の側面を伝って木口面より吸収されたり、柱の側面から直接吸収されることを防ぎ、木製柱の腐朽をより効果的に抑制することができる。
【００１５】
上記水遮断層は、水遮断シートを柱の木口面と金物の木口受け面との間に挟み込むことにより容易に形成できるため、施工性に優れている。
【００１６】
さらに、水遮断シートには、例えば切り込みによりスリットが形成されているため、そのスリットに差込プレートを貫通させることにより、水遮断シートと差込プレートとの干渉を防ぐことができる。
【００１７】
また、上記の水遮断層を、止水性及び断熱性に優れた発泡ポリエチレン樹脂から構成することで、結露水の遮断効果をより良好に発揮することができる。
【００１８】
またさらに、上記の気密性材としては、汎用品である接着剤若しくはシーリング材が用いられるため、施工コストの低減化に貢献している。
【発明を実施するための最良の形態】
【００１９】
以下、この発明の実施形態を図面に基づいて詳細に説明する。図において、(１)は、木製の柱(20)の下端部を基礎(15)に接合するために用いられる柱固定金物である。ただし、この柱固定金物(１)は、柱(20)下端部を基礎(15)の上面に設置された土台に接合するために用いても良く、場合によっては、柱(20)の上端部又は下端部を梁その他の構造物へ接合するために用いることも考えられる。
【００２０】
柱固定金物(１)は、基礎(15)の上面に設置されるベースプレート(２)と、そのベースプレート(２)の上方において柱(20)の木口面(24)を受ける木口受けプレート(３)と、その木口受けプレート(３)上面の木口受け面(12)より上側に突出する差込プレート(４)とを備えている。
【００２１】
ベースプレート(２)及び木口受けプレート(３)は、例えば矩形状とされ、互いに平行となるように上下に間隔を空けて設けられている。これらベースプレート(２)と木口受けプレート(３)とは、柱軸方向に沿って延びる断面略十字状のスペーサー(５)によって例えば溶接により連結されている。
【００２２】
ベースプレート(２)は、互いに対向する一対の辺が基礎(15)の長手方向に沿うようにして設置される。また、ベースプレート(２)には、スペーサー(５)の４枚の垂直片(13)(13)…によって区切られた４箇所にボルト挿通穴(６)(６)…がそれぞれ形成されている。それら４個の挿通穴(６)(６)…のうち対角に位置する２個の挿通穴(６)(６)には、予め基礎(15)に打ち込まれたアンカーボルト(９)(９)の基礎(15)上に露出する上端部が挿通されている。
【００２３】
それぞれのアンカーボルト(９)には、座金(11)及びナット(10)が取り付けられており、柱固定金物(１)は、これらナット(10)(10)を上側から締め付けることにより基礎(15)上に固定される。なお、木口受けプレート(３)には、適所に作業用穴(７)が設けられており、これにより、ナット(10)の締め付け作業がしやすいようになっている。
【００２４】
差込プレート(４)は、木口受け面(12)に対して、柱軸方向に沿って立ち上がるようにして例えば溶接により連結されている。また、差込プレート(４)は、略矩形状とされ、その上端のコーナー部分が丸みを帯びた形状となっている。さらに、差込プレート(４)の上端部には、一対のピン穴(８)(８)が水平方向に沿って並設されている。
【００２５】
一方、柱(20)の下端には、差込プレート(４)が差し込まれるスリット(21)が形成されている。スリット(21)は、柱軸方向に沿うようにして、且つ、柱(20)の互いに対向する側面間に貫通するようにして形成されている。また、柱(20)の下端部には、一対のピン挿通穴(22)(22)が、差込プレート(４)のピン穴(８)(８)に対応するようにして水平方向に沿って並設されている。これらピン挿通穴(22)(22)は、スリット(21)と略直交するようにして、且つ、柱(20)の互いに対向する側面間に貫通するようにして形成されている。
【００２６】
柱(20)のピン挿通穴(22)(22)及び差込プレート(４)のピン穴(８)(８)には、ドリフトピン(23)(23)がそれぞれ差し込まれ、これにより柱(20)が柱固定金物(１)に取り付けられ、柱(20)と基礎(15)とが接合される。
【００２７】
また、図１及び図３に示すように、柱(20)の側面のスリット部分に露出する差込プレート(４)の端部は、気密性材(30)によって覆われる。この気密性材(30)は、ドリフトピン(23)(23)により柱(20)と柱固定金物(１)を固定した後に、柱(20)の側面のスリット(21)の開口部分を塞ぐようにして、スリット(21)の内側面に付着される。なお、差込プレート(４)が柱(20)の側面よりも張り出している場合は、その張り出し部分の表面及び柱(20)のスリット(21)付近の側面に気密性材(30)を付着すれば良い。これにより、差込プレート(４)は、柱(20)側面のスリット部分においても露出することなく外気と遮断されるため、その表面に結露が発生することがない。
【００２８】
この気密性材(30)としては、例えばシリコン系その他の樹脂からなる接着剤若しくはシーリング材が好適に用いられる。例えば、接着剤を用いる場合には、前記スリット(21)の両側面開口部に充填して固化させるか、或いは、前記のように差込プレート(４)が張り出しているときは、その露出部分の面に満遍なく塗着するようにして被せる。また、比較的粘度の高いシーリング材の場合は、スリット(21)内に押し込むように充填し、或いは、張り出したプレート(４)の外面に被せるようにして付着させる。このように、汎用品である接着剤若しくはシーリング材を用いることで、低コストでの施工が可能となっている。
【００２９】
上記のように柱(20)と柱固定金物(１)が取り付けられた状態において、柱(20)の木口面(24)と柱固定金物(１)の木口受け面(12)との間には、例えば矩形状の水遮断シート(16)が介在している。水遮断シート(16)の略中央部には例えば切り込みによりスリット(17)が形成されており、このスリット(17)内に、柱固定金物(１)の差込プレート(４)が貫通するようになっている。
【００３０】
施工の際は、図４に示すように、水遮断シート(16)を、基礎(15)上に設置された柱固定金物(１)の上方より、スリット(17)内に差込プレート(４)を差し込みながら木口受け面(12)上に載置し、その状態の差込プレート(４)に対して、柱(20)下端のスリット(21)を上方から差し込みながら、柱(20)の木口面(24)を水遮断シート(16)上に載置する。これにより、水遮断シート(16)が、木口面(24)と木口受け面(12)とに挟み込まれるようになっている。
【００３１】
また、水遮断シート(16)は、柱固定金物(１)の木口受け面(12)と略同じ大きさとなるように形成されており、施工状態において木口受け面(12)をほぼ完全に覆い隠すようになっている。
【００３２】
この水遮断シート(16)は、例えば発泡ポリエチレン樹脂からなっており、柱固定金物(１)側から柱(20)側への水分の移動を遮断するようになっている。ただし、水遮断シート(16)の材質は、発泡ポリエチレン樹脂に限られず、ゴム若しくはビニール系その他の合成樹脂であっても良く、また、シート状でなくとも硬質のプレート状のものであっても良いものとする。さらに、場合によっては、木口面(24)と木口受け面(12)との間に液状の水密剤を充填させて硬化させることで、柱固定金物(１)側から柱側への水分の移動を遮断する水遮断層を形成することも考えられる。
【００３３】
また、水遮断シート(16)は、木口面(24)と木口受け面(12)とに挟み込まれた状態において露出する端面が、その表面に付着される上記と同様の気密性材(30)によって覆われる。これにより、水遮断シート(16)の端面での結露の発生を防ぐことができるとともに、柱固定金物(１)側で発生した結露水が、シート(16)端面を伝って柱(20)側へ移動するのを防ぐことができる。
【００３４】
この発明は、上記実施形態に限定されるものではなく、この発明の範囲内で上記実施形態に多くの修正及び変更を加え得ることは勿論である。
【図面の簡単な説明】
【００３５】
【図１】この発明の一実施形態に係る柱と柱固定金物の取付け構造を示す斜視図である。
【図２】同じくその断面図である。
【図３】同じくその断面図である。
【図４】同じくその分解斜視図である。
【図５】従来の柱と柱固定金物の取付け構造を示す斜視図である。
【符号の説明】
【００３６】
(１)  柱固定金物
(４)  差込プレート
(12)  木口受け面
(15)  基礎
(16)  水遮断シート
(17)  水遮断シートのスリット
(20)  柱
(21)  柱端部のスリット
(30)  気密性材
【図１】
2005068858.tif 000003
【図２】
2005068858.tif 000004
【図３】
2005068858.tif 000005
【図４】
2005068858.tif 000006
【図５】
2005068858.tif 000007